(57)【要約】【課題】回収袋の取付け、取外しが容易で、使用時に糞の落下点に回収袋を差し出し、糞の回収後に回収袋を容易に封止することが可能な犬等の糞回収具を提供する。【解決手段】ロッド状の把持部１１と、把持部１１の先部に基部が固定されたリング状枠体１２と、リング状枠体１２に上側開口部が取付けられる回収袋１３とを有する犬等の糞回収具１０において、リング状枠体１２は、左右のそれぞれ中間位置を回動中心にして、先側半分１４が水平状態から１８０度曲げ状態まで回動し、把持部１１の先部には、１８０度曲げ状態まで回動したリング状枠体１２の先側半分１４を、リング状枠体１２の基側半分１５の上側に保持するロック機構１６が設けられている。【選択図】図１
0003172693.tif 000002
【実用新案登録請求の範囲】
【請求項１】
ロッド状の把持部と、該把持部の先部に基部が固定されたリング状枠体と、該リング状枠体に上側開口部が取付けられる回収袋とを有する犬等の糞回収具において、
前記リング状枠体は、左右のそれぞれ中間位置を回動中心にして、先側半分が水平状態から１８０度曲げ状態まで回動し、前記把持部の先部には、１８０度曲げ状態まで回動した前記リング状枠体の前記先側半分を、前記リング状枠体の基側半分の上側に保持するロック機構が設けられていることを特徴とする犬等の糞回収具。
【請求項２】
請求項１記載の犬等の糞回収具において、前記リング状枠体に取付けられた前記回収袋の上側開口部はクリップを用いて該リング状枠体に固定されることを特徴とする犬等の糞回収具。
【請求項３】
請求項１記載の犬等の糞回収具において、前記リング状枠体の前記基側半分の両端側には、前記リング状枠体に取付けられた前記回収袋の前記先側半分の領域にある上側開口部を、該先側半分と共に挟持して固定する円弧状のクリップがそれぞれ設けられていることを特徴とする犬等の糞回収具。
【請求項４】
請求項１〜３のいずれか１項に記載の犬等の糞回収具において、前記回収袋の上側開口部には、ゴム環が装着されていることを特徴とする犬等の糞回収具。
【考案の詳細な説明】
【技術分野】
【０００１】
本考案は、例えば、犬等の散歩中に糞の処理を行う際に使用する糞回収具に関する。
【背景技術】
【０００２】
犬を散歩させると、散歩中に道端に糞をすることが多く、このため犬を散歩させる人は、糞を回収するために、例えば、ビニール袋と掴み具等を携行している。また、このような目的のため、特許文献１に記載のような糞の回収具も提案されている。この糞の回収具は、先部がＹ字状となった中空の棒状部と、このＹ字状となった棒状部の先部からリング状に曲げた状態で突出し、両端部は棒状部の所定位置で止まるワイヤ（例えば、ピアノ線）と、リング状に曲がった（丸くなった）ワイヤに開口状態で装着される袋と、Ｙ字状となった棒状部の端部から出たリング状に曲がったワイヤが円滑に閉じるようにして設けられたコイルスプリングとを有している。
【先行技術文献】
【特許文献】
【０００３】
【特許文献１】実開平０７−７４０９号公報
【考案の概要】
【考案が解決しようとする課題】
【０００４】
しかしながら、特許文献１記載の糞の回収具の場合、ワイヤをＹ字状となった棒状部の一端から引き出し、リング状に曲げて袋を取付ける必要があり準備に手間取るという問題がある。
また、細いピアノ線を用いると、袋を装着した状態では自重によってリング状に曲げたワイヤが棒状部の先部から垂れ下がり易いので、ある程度太いワイヤを用いる必要がある。そうすると、ワイヤの屈曲性が悪くなって、ワイヤを一旦棒状部の先部から外に取り出してまた棒状部にその端部を固定することができ難いという問題もあった。
【０００５】
本考案は、かかる事情に鑑みてなされたもので、回収袋の取付け、取外しが容易で、使用時に糞の落下点に回収袋を差し出し、糞の回収後に回収袋を容易に封止することが可能な犬等の糞回収具を提供することを目的とする。
【課題を解決するための手段】
【０００６】
前記目的に沿う本考案に係る犬等の糞回収具は、ロッド状の把持部と、該把持部の先部に基部が固定されたリング状枠体と、該リング状枠体に上側開口部が取付けられる回収袋とを有する犬等の糞回収具において、
前記リング状枠体は、左右のそれぞれ中間位置を回動中心にして、先側半分が水平状態から１８０度曲げ状態まで回動し、前記把持部の先部には、１８０度曲げ状態まで回動した前記リング状枠体の前記先側半分を、前記リング状枠体の基側半分の上側に保持するロック機構が設けられている。
【０００７】
本考案に係る犬等の糞回収具において、前記リング状枠体に取付けられた前記回収袋の上側開口部はクリップを用いて該リング状枠体に固定することが好ましい。
また、前記リング状枠体の前記基側半分の両端側には、前記リング状枠体に取付けられた前記回収袋の前記先側半分の領域にある上側開口部を、該先側半分と共に挟持して固定する円弧状のクリップをそれぞれ設けてもよい。
【０００８】
本考案に係る犬等の糞回収具において、前記回収袋の上側開口部には、ゴム環が装着されていることが好ましい。
【考案の効果】
【０００９】
本考案に係る犬等の糞回収具においては、ロッド状の把持部に固定されたリング状枠体に回収袋の上側開口部を取付けるので、回収袋を開口した状態でリング状枠体に吊り下げることができる。このため、把持部を操作して、リング状枠体に取付られた状態の回収袋の開口位置を糞の落下点上に差し出すことができ、糞を回収袋内に容易に回収することができる。
そして、回収袋に糞を回収した後は、リング状枠体の先側半分を、水平状態から１８０度曲げ状態まで回動し、ロック機構を用いて先側半分をリング状枠体の基側半分の上側に保持すると、リング状枠体に取付られた回収袋において、リング状枠体の先側半分に吊り下げられた部分をリング状枠体の基側半分に吊り下げられた部分に重なるように折り返すことができ、糞が回収された回収袋を容易に封止することができる。
【００１０】
本考案に係る犬等の糞回収具において、リング状枠体に取付けられた回収袋の上側開口部をクリップを用いてリング状枠体に固定する場合、回収袋のリング状枠体に対する固定力を補強することができる。
【００１１】
本考案に係る犬等の糞回収具において、リング状枠体の基側半分の両端側に、リング状枠体に取付けられた回収袋の先側半分の領域にある上側開口部を、先側半分と共に挟持して固定する円弧状のクリップがそれぞれ設けられている場合、回収袋をより確実にリング状枠体に固定できる。
【００１２】
本考案に係る犬等の糞回収具において、回収袋の上側開口部に、ゴム環が装着されている場合、回収袋の上側開口部を下方からリング状枠体内に挿入しリング状枠体に沿って下方に折り返すことにより、回収袋の側部に折り返した上側開口部を密着させることができ、回収袋をリング状枠体に容易に取付けることができる。
【図面の簡単な説明】
【００１３】
【図１】（Ａ）、（Ｂ）はそれぞれ本考案の一実施の形態に係る犬等の糞回収具の平面図、部分側面図である。
【図２】（Ａ）、（Ｂ）はそれぞれ同糞回収具のリング状枠体の先側半分を１８０度曲げ状態まで回動して基側半分の上側に保持した状態を示す平面図、部分側面図である。
【図３】回収袋の説明図である。
【図４】（Ａ）は変形例に係るクリップの説明図、（Ｂ）はクリップの側面図、（Ｃ）は（Ｂ）のＰ−Ｐ矢視断面図である。
【考案を実施するための形態】
【００１４】
続いて、添付した図面を参照しつつ、本考案を具体化した実施の形態につき説明し、本考案の理解に供する。
図１（Ａ）、（Ｂ）に示すように、本考案の一実施の形態に係る犬等の糞回収具１０は、ロッド状の把持部１１と、把持部１１の先部に基部が固定されたリング状枠体１２と、リング状枠体１２に上側開口部が取付けられる回収袋１３とを有している。そして、リング状枠体１２は、左右のそれぞれ中間位置を回動中心にして、先側半分１４が水平状態から１８０度曲げ状態まで回動し、把持部１１の先部には、１８０度曲げ状態まで回動したリング状枠体１２の先側半分１４を、リング状枠体１２の基側半分１５の上側に保持するロック機構１６が設けられている。以下、詳細に説明する。
【００１５】
把持部１１は、例えば、外径の異なる複数、例えば３本のパイプ材１７、１８、１９を有し、把持部１１の基側に位置するパイプ材１７にはパイプ材１８が、パイプ材１８には把持部１１の先側に位置するパイプ材１９がそれぞれ挿入されている。そして、パイプ材１７の基側には封止部材２０が取付けられ、パイプ材１７の先側にはパイプ材１７の内径より小さな外径を有する縮径部２１が形成されている。また、パイプ材１８は、長さがパイプ材１７より長く、外径は縮径部２１の内周面を摺動可能な寸法となって、パイプ材１８の基側にはパイプ材１７の内面に当接する直径を有する拡径部２２が、パイプ材１８の先側にはパイプ材１８の内径より小さな外径を有する縮径部２３が形成されている。更に、パイプ材１９は、長さがパイプ材１８より長く、パイプ材１９の外径は縮径部２３の内周面を摺動可能な寸法となって、パイプ材１９の基側にはパイプ材１８の内面に当接する直径を有する拡径部２４が形成されている。
【００１６】
このような構成とすることにより、パイプ材１７内に挿入されたパイプ材１８と、パイプ材１８を介してパイプ材１７内に挿入されたパイプ材１９が、パイプ材１７の基側から突出する（抜け出す）ことを防止して、パイプ材１７〜１９を摺動自在に連結することができる。その結果、パイプ材１８、１９をそれぞれ引出すことにより把持部１１の長さを長くすることができ、パイプ材１８、１９をパイプ材１７内に収納することにより、把持部１１の長さを短くすることができ、把持部１１の長さを調節することができる。
なお、パイプ材１７〜１９及び封止部材２０はそれぞれ、例えば、アルミニウム、アルミニウム合金、プラスチック、又は繊維強化プラスチックのいずれかを用いて形成され、パイプ材１７の外径は２０〜３０ｍｍ、長さは２００〜３００ｍｍ、パイプ材１８の外径は１５〜２５ｍｍ、長さはパイプ材１７より２０〜３０ｍｍ長く、パイプ材１９の外径は１０〜１５ｍｍ、長さはパイプ材１８より２０〜３０ｍｍ長い。
【００１７】
図１（Ａ）、（Ｂ）、図２（Ａ）、（Ｂ）に示すように、リング状枠体１２は、それぞれ略半円の円弧状となった先側半分１４と基側半分１５とを有し、基側半分１５は、周方向の中央部（即ち、基部）が把持部１１のパイプ材１９の先部に取付られたキャップ部材２５に貫通状態で固定されている。ここで、先側半分１４と基側半分１５のそれぞれの両端部（即ち、連結部）を除いた領域は、例えば、断面円形（例えば、直径が５〜１０ｍｍ）で、それぞれの両端部は側面視して円形（例えば、直径が１０〜２０ｍｍ）、断面視して矩形（例えば、幅が１０〜２０ｍｍ、厚さが３〜６ｍｍ）となっている。そして、先側半分１４は、先側半分１４の両端部を、基側半分１５の両端部の外側に配置して、それぞれ重なり合った領域の中央部にピン部材２６（連結手段の一例）を貫通させることにより、基側半分１５に対して回動自在に連結されている。また、先側半分１４の両端部の一方又は双方には、基側半分１５に対して先側半分１４が回動した際、先側半分１４が基側半分１５より下方に回動することを防止するストッパー（図示せず）が設けられている。
なお、ストッパーは、基側半分１５の両端部の一方又は双方に設けてもよい。また、先側半分１４、基側半分１５、及びピン部材２６はそれぞれ、例えば、アルミニウム、アルミニウム合金、プラスチック、又は繊維強化プラスチックのいずれかを用いて形成されている。
【００１８】
このような構成とすることにより、リング状枠体１２は、左右のそれぞれ中間位置を回動中心にして、先側半分１４が水平状態から１８０度曲げ状態まで回動することができる。ここで、先側半分１４は、水平状態から回動した際、基側半分１５を固定しているパイプ材１９（キャップ部材２５）を越えて回動することはできないので、１８０度曲げ状態とは、先側半分１４が、回動中心の回りで水平状態を０度として、回転角度が、例えば１７５度以上１８０度未満の範囲となるまで回転した状態を指す。
【００１９】
図１（Ａ）、（Ｂ）、図２（Ａ）、（Ｂ）に示すように、例えば、パイプ材１９の先部の上側には、１８０度曲げ状態まで回動した先側半分１４を、基側半分１５の上側に保持するロック機構１６が設けられている。ここで、ロック機構１６は、側面視して円弧状で、上部及び両端が開放状態となって、基側半分１５の上側に回動した先側半分１４の周方向の中央部が上方から装入される隙間を形成する対向配置された第１、第２の側壁部材２７、２８を有している。そして、対向配置された第１、第２の側壁部材２７、２８は、基側に向かって第１、第２の側壁部材２７、２８の距離が徐々に狭まり、基端部で連結すると共に、パイプ材１９に固定（例えば、接着剤による結合又はねじ結合）されている。
なお、第１、第２の側壁部材２７、２８はそれぞれ、例えば、アルミニウム、アルミニウム合金、プラスチック、又は繊維強化プラスチックのいずれかを用いて形成されている。
【００２０】
このような構成とすることにより、水平状態から１８０度曲げ状態まで回動した先側半分１４の周方向の中央部を、第１、第２の側壁部材２７、２８の先側で形成された円弧状の開口から第１、第２の側壁部材２７、２８の隙間に挿入することができ、隙間に挿入した先側半分１４の中央部を更に下方に（第１、第２の側壁部材２７、２８の基側に向けて）移動させることにより、第１、第２の側壁部材２７、２８の隙間を拡大させて、先側半分１４の中央部を両側から第１、第２の側壁部材２７、２８で挟持することができる。その結果、リング状枠体１２の１８０度曲げ状態の先側半分１４が、リング状枠体１２の基側半分１５の上側に保持される。
【００２１】
図３に示すように、回収袋１３は、回収袋１３の上側開口部に、ゴム環２９が装着されている。ここで、回収袋１３の上側開口部の大きさは、円形に広げた際の外径が、リング状枠体１２の内径以上とする必要があり、ゴム環２９の収縮時の直径は、リング状枠体１２の内径より小さくする必要がある。また、回収袋１３の長さ（深さ）は、例えば、３００〜４００ｍｍである。
なお、回収袋１３としては、例えば、ナイロン、ポリエチレン、ポリプロピレン等のプラスチック製の袋を使用することができる。更に、回収袋１３として、樹脂をコーティングして耐水性を付与した紙製の袋を使用することもできる。
【００２２】
このような構成とすることで、図１（Ｂ）に示すように、回収袋１３の上側開口部をリング状枠体１２内に下方から挿通させ、上側開口部に装着されたゴム環２９を引伸ばしながらリング状枠体１２に沿ってリング状枠体１２の外側下方に折り返すことができる。そして、折り返された上側開口部はゴム環２９が収縮することにより狭まり、折り返された上側開口部はリング状枠体１２より下側の回収袋１３の側部に圧着することができ、リング状枠体１２を回収袋１３の上側開口部で包み込むことができる。ここで、リング状枠体１２の基側半分１５の基部はキャップ部材２５を貫通しているので、回収袋１３の上側開口部において、基側半分１５の基部を中心とした領域に沿って下方から挿通した部分は、リング状枠体１２（基側半分１５）の外側下方に折り返すことができず、上側開口部に装着されたゴム環２９を引伸ばしてキャップ部材２５を保持しているパイプ材１９の先部の上側に設けられたロック機構１６の第２の側壁部材２８に掛止する。そして、上側開口部の第２の側壁部材２８に掛止された部分はゴム環２９が収縮することにより、第２の側壁部材２８に密着する。その結果、回収袋１３をリング状枠体１２に取付けることができる。
【００２３】
また、図１（Ａ）、（Ｂ）に示すように、回収袋１３をリング状枠体１２に取付けた際、リング状枠体１２に回収袋１３の上側開口部の折り返し部分をクリップ３０（例えば、洗濯挟みや紙挟み等）で部分的に挟んでもよい。これによって、回収袋１３のリング状枠体１２に対する取付け力を補強して、回収袋１３のリング状枠体１２からの脱落を防止できる。
【００２４】
クリップ３０を使用する代わりに、図４（Ａ）〜（Ｃ）に示すように、リング状枠体３１に回収袋１３の取付け力を補強する専用のクリップ３７を、パイプ材１９の先部に取付られたキャップ部材３３を介してパイプ材１９に固定された基側半分３４の両端側に設けてもよい。なお、先側半分３５は、先側半分３５の両端部を、基側半分３４の両端部の内側に配置して、それぞれ重なり合った領域の中央部にピン部材３６（連結手段の一例）を貫通させることにより、基側半分３４に対して回動自在に連結されている。ここで、専用のクリップ３７は、基側がピン部材３６を介して基側半分３４の両端外側にそれぞれ回動自在に取付られた円弧状のアーム部３８、アーム部３８の先側に設けられ、リング状枠体３１に取付けられた回収袋１３の先側半分３５の領域にある上側開口部の折り返し部分を、先側半分３５と共に挟持して固定する、下方に開口した円弧状の凹部３９とを有している。
【００２５】
このような構成とすることにより、アーム部３８を回動して、凹部３９を回収袋１３の先側半分３５の領域にある折り返し部分を押圧することで、図４（Ｃ）に示すように、回収袋１３の折り返し部分を介して先側半分３５の一部を、開口から凹部３９内に装入させて、回収袋１３をより確実にリング状枠体３１（先側半分３５）に固定できる。
【００２６】
続いて、本考案の一実施の形態に係る犬等の糞回収具１０の作用について説明する。
犬等の糞回収具１０においては、ロッド状の把持部１１に固定されたリング状枠体１２に回収袋１３の上側開口部を取付けるので、回収袋１３を開口した状態でリング状枠体１２に吊り下げることができる。ここで、回収袋１３の上側開口部には、ゴム環２９が装着されているので、回収袋１３の上側開口部を下方からリング状枠体１２内に挿入し、リング状枠体１２に沿って下方に折り返すことにより、回収袋１３の側部に折り返した上側開口部を密着させて、回収袋１３の開口部側でリング状枠体１２を包み込むことができ、回収袋１３をリング状枠体１２に容易に取付けることができる。また、回収袋１３をリング状枠体１２に取付けるために折り返した上側開口部の部分をクリップ３０、３７で部分的に挟むので、回収袋１３のリング状枠体１２に対する固定力を補強することができる。これにより、回収袋１３をより確実にリング状枠体１２に固定できる。
【００２７】
そして、把持部１１を操作して、リング状枠体１２に取付られた状態の回収袋１３の開口位置を糞の落下点上に差し出すと、糞を回収袋１３内に回収することができる。次いで、回収袋１３に糞を回収した後は、リング状枠体１２の先側半分１４を、水平状態から１８０度曲げ状態まで回動し、ロック機構１６を用いて先側半分１４をリング状枠体１２の基側半分１５の上側に保持することができる。これにより、リング状枠体１２に取付られた回収袋１３において、先側半分１４に吊り下げられた部分を基側半分１５に吊り下げられた部分に重なるように折り返すことができ、糞が回収された回収袋１３を、リング状枠体１２に取付けた状態で容易に封止することができる。
【００２８】
以上、本考案を、実施の形態を参照して説明してきたが、本考案は何ら上記した実施の形態に記載した構成に限定されるものではなく、実用新案登録請求の範囲に記載されている事項の範囲内で考えられるその他の実施の形態や変形例も含むものである。
例えば、ロッド状の把持部を、摺動自在に連結された３本のパイプ材で構成したが、１本のパイプ部材で構成することもできる。
【符号の説明】
【００２９】
１０：犬等の糞回収具、１１：把持部、１２：リング状枠体、１３：回収袋、１４：先側半分、１５：基側半分、１６：ロック機構、１７、１８、１９：パイプ材、２０：封止部材、２１：縮径部、２２：拡径部、２３：縮径部、２４：拡径部、２５：キャップ部材、２６：ピン部材、２７：第１の側壁部材、２８：第２の側壁部材、２９：ゴム環、３０：クリップ、３１：リング状枠体、３３：キャップ部材、３４：基側半分、３５：先側半分、３６：ピン部材、３７：クリップ、３８：アーム部、３９：凹部
【図１】
0003172693.tif 000003
【図２】
0003172693.tif 000004
【図３】
0003172693.tif 000005
【図４】
0003172693.tif 000006